(57)【要約】【課題】  本発明は、摩擦力に頼らず機械的な部材の係合によって確実にネジの緩みを防止するための緩み防止セットで、分解する必要が生じた時に取り外しも容易であるという相反する要望を解決するものであり、ボルト、ナットの両方に適用できる確実で信頼性が高く取扱上利便性が高い緩み防止セットを提供するものである。【解決手段】  締め付け面に複数の半径方向の溝を設けたボルト又はナットと、該溝に係合する形状を有する複数の半径方向の突起を有しバネ性を有するワッシャーと、該ワッシャーの突起のひとつに折り曲げ部を設け、該折り曲げ部が係合する凹部を被締め付け部材に設け、ボルト又はナットに設けた溝の数とワッシャーに設けた半径方向の突起の数を異なるものとしたことを特徴とするボルト又はナットとワッシャーによる緩み防止セット。【選択図】図１
2014013051.tif 000002
【特許請求の範囲】
【請求項１】
締め付け面に複数の半径方向の溝を設けたボルトと、該溝に係合する形状を有する複数の半径方向の突起を有しバネ性を有するワッシャーと、該ワッシャーの突起のひとつに折り曲げ部を設け、該折り曲げ部が係合する凹部を被締め付け部材に設け、ボルトに設けた溝の数とワッシャーに設けた半径方向の突起の数を異なるものとしたことを特徴とするボルトとワッシャーによる緩み防止セット。
【請求項２】
締め付け面に複数の半径方向の溝を設けたナットと、該溝に係合する形状を有する複数の半径方向の突起を有しバネ性を有するワッシャーと、該ワッシャーの突起のひとつに折り曲げ部を設け、該折り曲げ部が係合する凹部を被締め付け部材に設け、ナットに設けた溝の数とワッシャーに設けた半径方向の突起の数を異なるものとしたことを特徴とするナットとワッシャーによる緩み防止セット。
【発明の詳細な説明】
【技術分野】
【０００１】
本発明は、機械及び建築などに広く利用されるネジの緩みを防止するためのボルト・ナット及びワッシャーのセットに関するものであり、特に摩擦力に頼らず機械的な部材の係合によって確実にネジの緩みを防止するためのボルト・ナット及びワッシャーによる緩み防止セットに関するものである。
【背景技術】
【０００２】
従来、ネジの緩み防止の方法としては溝付きのナットと穴のついたボルトを割りピンで固定する方法や、部分的に偏芯した突起を有するナットを他のナットの凹部と組み合わせて摩擦力を高める方式などがある。
【先行技術文献】
【特許文献】
【０００３】
【特許文献１】特願２０００−２７９８２２号公報  上記文献が示すものは、テーパー状の凹部を有する２個のナットの間に偏芯した凸部を有するネジ部材をはさみ両方のナットで締め付ける方式のものである。
【０００４】
しかるに、割ピンを用いる方法では固定できる角度が一般に６０°トビとなり充分な締め付け力を得られないことが多く、締め付け後に穴加工を行う場合は極めて作業能率が悪い。また、偏芯した突起を利用する方式のものはあくまでも摩擦力に依存するものであるために完全なゆるみ止め効果を保証できるものではない。尚、ダブルナットを使用する状態に限定して使用されるものであり、ボルト用としては適応していない。
【０００５】
更にベアリングなどの固定においては偏芯荷重によって固定部に偏った応力を発生させるので回転性能を損なう可能性があり使用できない。
【０００６】
本来、摩擦力に頼らず機械的な部材の係合によって確実にネジの緩みを防止するためのボルト及びナットが望まれる一方、保守などの理由で分解する必要が生じた時に、取り外しも容易であることが強く望まれている。
【発明の概要】
【発明が解決しようとする課題】
【０００７】
本発明が解決しようとする課題は、この様に相反する要望を解決するものであり、摩擦力に頼らず機械的な部材の係合によって確実にネジの緩みを防止し、しかも保守などの理由で、分解する必要が生じた時に取り外しも容易な緩み防止機能を持つボルトとワッシャー及びナットとワッシャーによる緩み防止セットを提供するものである。
【課題を解決するための手段】
【０００８】
本発明の上記課題を解決するための第１の手段は、締め付け面に複数の半径方向の溝を設けたボルトと、該溝に係合する形状を有する複数の半径方向の突起を有しバネ性を有するワッシャーと、該ワッシャーの突起のひとつに折り曲げ部を設け、該折り曲げ部が係合する凹部を被締め付け部材に設け、ボルトに設けた溝の数とワッシャーに設けた半径方向の突起の数を異なるものとしたボルトとワッシャーによる緩み防止セットを提供するものである。
【０００９】
本発明の上記課題を解決するための第２の手段は、締め付け面に複数の半径方向の溝を設けたナットと、該溝に係合する形状を有する複数の半径方向の突起を有し、バネ性を有するワッシャーと、該ワッシャーの突起のひとつに折り曲げ部を設け、該折り曲げ部が係合する凹部を被締め付け部材に設け、ナットに設けた溝の数とワッシャーに設けた半径方向の突起の数を異なるものとしたナットとワッシャーによる緩み防止セットを提供するものである。
【発明の効果】
【００１０】
本発明の第１の効果は、ボルトを被締め付け部材に締めこんでいくとワッシャーの折り曲げ部が被締め付け部材の凹部に係合するとともにワッシャーに設けた半径方向の突起のひとつがボルトの締め付け面に設けた半径方向の溝に係合する。ボルトを回転するためのレンチは公知のボルトの外径を覆う円筒部を有するものを使用することで、ワッシャーの半径方向の突起を押しながら回転することが出来るので、充分に締めた状態でレンチを外すと前述のごとくワッシャーに設けた半径方向の突起のひとつがボルトの締め付け面に設けた半径方向の溝に係合する。この状態ではボルトが緩むことは無い。緩めたい時は上述のレンチを用いてワッシャーに設けた半径方向の突起を被締め付け部材側に押して、ボルトの締め付け面に設けた半径方向の溝から外して回転すれば容易に緩めることが出来る。このようにして締め付けた状態で不用意に緩まず、人為的には容易に緩めることが出来る理想的な緩み防止機能をもつ緩み防止セットを実現することが出来る。この緩み防止セットはトンネル内部の構造物の固定、巨大な橋梁の組立、鉄道設備の設置など大型のものから、高速回転する工作機械の精密な組立まで幅広く使用することが出来、その用途はきわめて広く産業界に及ぼす安全性の向上効果は極めて著しい。
【００１１】
本発明の第２の効果は、上述の内容におけるボルトをナットと読み替えることでほぼ同様のものとなるので詳述の反復を省略する。
【図面の簡単な説明】
【００１２】
【図１】図１は本発明の緩み防止セットの１実施形態を示した側断面図である。
【図２】図２は本発明の緩み防止セットの１実施形態を示した部分平面図である。
【図３】図３は本発明の緩み防止セットの１実施形態を示した部分平面図である。
【図４】図４は本発明の緩み防止セットの他の実施形態を示した側断面図である。
【図５】図５は本発明の緩み防止セットの他の実施形態を示した部分平面図である。
【発明を実施するための形態】
【００１３】
本発明の緩み防止ナットをその性能を損なわない範囲で簡略化して実現するための実施形態を示す。
【実施例】
【００１４】
図１は本発明の緩み防止セットの１実施形態を示した側断面図、図２は本発明の緩み防止セットの１実施形態を示したボルトの締め付け面側からの部分平面図、図３は本発明の緩み防止セットの１実施形態を示したワッシャーの部分平面図である。
図１、図２及び図３において、締め付け面２に複数の半径方向の溝３を設けたボルト１と、該半径方向の溝３に係合する形状を有する複数の半径方向の突起５を有し、バネ性を有するワッシャー４と、該ワッシャーの突起のひとつに折り曲げ部６を設け、該折り曲げ部６が係合する凹部８を被締め付け部材７に設け、ボルト１に設けた半径方向の溝３の数とワッシャー４に設けた半径方向の突起５の数を異なるものとしたボルト・ワッシャーによる緩み防止セットを提供するものである。また、被締め付け部材７に設けた凹部８は穴状のものでなく一方が開放された切り欠き状のものでもよいことは言うまでもない。
【００１５】
図４は本発明の緩み防止セットの他の実施形態を示した側断面図、図５は本発明の緩み防止セットの他の実施形態を示したナットの締め付け面側からの部分平面図である。
図４及び図５において、締め付け面１２に複数の半径方向の溝１３を設けたナット１１と、該半径方向の溝１３に係合する形状を有する複数の半径方向の突起５を有し、バネ性を有するワッシャー４と、該ワッシャー４に設けた半径方向の突起５のひとつに折り曲げ部６を設け、該折り曲げ部６が係合する凹部８を被締め付け部材７に設け、ナット１１に設けた半径方向の溝１３の数とワッシャー４に設けた半径方向の突起５の数を異なるものとしたナットとワッシャーによる緩み防止セットを提供するものである。締め付け面２に複数の半径方向の溝３を設けたボルト１は、図１及び図２に示すものと同様のものでもよいが被締め付け部材７に植設されたものでも良いことは言うまでもない。
［作用］
【００１６】
上記実施形態に示す本発明の緩み防止セットの作用について補足説明する。ボルト１及びナット１１に設けた半径方向の溝３及び１３の数を等間隔に８個とすると、その角度間隔は４５°となる。また、ワッシャー４に設けた半径方向の突起５の数を等間隔に９個とするとその角度間隔は４０°となる。対面した半径方向の溝３と半径方向の突起５とは夫々５°ずれた状態であり、この５°のずれ角度だけ回転すればどれかの溝と突起が係合し得る状態となる。従って締め付けのための回転角度の精度は充分高くセットすることが出来る。一旦係合した半径方向の溝３と半径方向の突起５とは回転方向の力が働いても外れることはない。また、緩めるときにはボックス状のレンチの先端部分でボルト１又はナット１１の外周部を包む構造のもの（公知）を使用して半径方向の突起５を被締め付け部材７の方向に押せば容易に回転させることが出来る。この場合も押す必要のある半径方向の突起５は１個のみである為に比較的小さな力で押すことが出来る。他の突起５はボルト１の締め付け面２及びナット１１の締め付け面１２に押されて撓み、スプリングワッシャーとしての機能を果たす。用途に応じてワッシャー４の板厚を選択することで、作業性と締め付け強度を設定することができるので上述のごとく巨大な建造物用のものと、精密機械用のものなどに広く応用することが出来る。また、ワッシャー４は手加工による曲げ等の行程が必要ないので充分な靭性を有する材料を使用することが出来るので振動に対する耐久性を極めて高いものとすることが出来る。
【産業上の利用可能性】
【００１７】
上記構造のネジ緩み防止セットは、摩擦力に頼らず機械的な部材の係合によって確実にネジの緩みを防止し、しかも保守などの理由で分解する必要が生じた時に、取り外しも容易な緩み防止セットを提供するものである。その信頼性はきわめて高く、精密機械及び振動、撓みを受ける重機から橋梁その他の保守作業の困難な建築設備にも広く利用することが出来、その産業上の効果は極めて著しい。
【符号の説明】
【００１８】
１    ボルト
２    締め付け面
３    半径方向の溝
４    ワッシャー
５    半径方向の突起
６    折り曲げ部
７    被締め付け部材
８    凹部
９    溝
１１  ナット
１２  締め付け面
１３  半径方向の溝
【図１】
2014013051.tif 000003
【図２】
2014013051.tif 000004
【図３】
2014013051.tif 000005
【図４】
2014013051.tif 000006
【図５】
2014013051.tif 000007